(57)【特許請求の範囲】
【請求項１】
複数の無線基地局と、
いずれかの前記無線基地局と無線通信する１又は複数のユーザー装置と、
前記ユーザー装置の要求に応じたコンテンツを前記無線基地局経由で前記ユーザー装置へ提供するコンテンツ提供装置と、
前記ユーザー装置向けの広告及びアンケートのいずれか一方又は双方に関する広告コンテンツを管理する広告管理装置と、
をそなえ、
前記広告管理装置は、
前記広告コンテンツが格納されている位置を示す広告ＵＲＬを１又は複数の無線基地局へ通知し、
前記無線基地局は、
前記広告管理装置から通知された広告ＵＲＬを記憶部に格納し、
前記コンテンツ提供装置から受信した前記ユーザー装置宛の前記コンテンツに、前記記憶部に格納された広告ＵＲＬを読みだして付加し、
前記広告ＵＲＬが付加された前記コンテンツを前記ユーザー装置へ送信し、
所定期間において前記ユーザー装置について前記広告ＵＲＬの付加を行なった回数を計数し、前記計数の結果を前記広告管理装置へ通知し、
前記ユーザー装置は、
前記無線基地局から前記コンテンツを受信した際に、前記コンテンツに付加されている前記広告ＵＲＬを用いて、前記広告コンテンツのダウンロード要求を送信し、
前記広告ＵＲＬを用いたダウンロード要求に応じた前記広告コンテンツを、前記無線基地局を介して受信し、前記ユーザー装置の利用者に向けて出力する、
ことを特徴とする、通信システム。
【請求項２】
前記無線基地局は、
前記広告管理装置から通知された広告ＵＲＬを１以上含み得る広告ＵＲＬリストを記憶部に格納し、
前記広告管理装置から広告ＵＲＬを受信した際に、当該広告ＵＲＬを用いて前記広告ＵＲＬリストを更新し、
前記コンテンツ提供装置から受信した前記ユーザー装置宛の前記コンテンツに付加する前記広告ＵＲＬを前記記憶部から読み出す際に、前記広告ＵＲＬリストに含まれる１以上の前記広告ＵＲＬのうちから、所定の条件に基づいて該当する広告ＵＲＬを選択的に読み出し、
前記所定の条件に基づいて選択された前記広告ＵＲＬを、前記ユーザー装置宛の前記コンテンツに付加して送信する、
ことを特徴とする、請求項１記載の通信システム。
【請求項３】
前記広告管理装置は、
前記各無線基地局から通知された前記計数の結果を集計する、ことを特徴とする、請求項１又は２に記載の通信システム。
【請求項４】
前記集計は、前記ユーザー装置のカテゴリに関する情報に基づいて行なう、ことを特徴とする、請求項３記載の通信システム。
【請求項５】
前記広告管理装置は、
前記無線基地局の位置情報と前記ユーザー装置のカテゴリに関する情報とに基づく所定の条件に合致する無線基地局を、前記広告ＵＲＬの通知を行なう無線基地局に選ぶ、ことを特徴とする、請求項１〜４のいずれか１項に記載の通信システム。
【請求項６】
複数の無線基地局と、いずれかの前記無線基地局と無線通信する１又は複数のユーザー装置と、前記ユーザー装置の要求に応じたコンテンツを前記無線基地局経由で前記ユーザー装置へ提供するコンテンツ提供装置と、前記ユーザー装置向けの広告及びアンケートのいずれか一方又は双方に関する広告コンテンツを管理する広告管理装置と、をそなえた通信システムにおける前記広告管理装置であって、
前記無線基地局の位置情報に基づいて、前記広告コンテンツが格納されている位置を示す広告ＵＲＬを通知する１又は複数の無線基地局を選択する選択部と、
前記選択部で選択された無線基地局へ前記広告ＵＲＬを通知する通知部と、
をそなえたことを特徴とする、広告管理装置。
【請求項７】
前記コンテンツ及び前記広告コンテンツのいずれか一方又は双方は、映像、音声、音楽のいずれか１又は複数の組み合わせを含むデータである、ことを特徴とする、請求項６記載の広告管理装置。
【請求項８】
前記通知した広告ＵＲＬが前記無線基地局において前記ユーザー装置宛の前記コンテンツに付加された回数についての計数結果の通知を各無線基地局から受ける受信部と、
前記計数結果を集計する集計部と、をさらにそなえたことを特徴とする、請求項６又は７に記載の広告管理装置。
【請求項９】
前記集計部は、
前記集計を前記ユーザー装置のカテゴリに関する情報に基づいて行なう、ことを特徴とする、請求項８記載の広告管理装置。
【請求項１０】
複数の無線基地局と、いずれかの前記無線基地局と無線通信する１又は複数のユーザー装置と、前記ユーザー装置の要求に応じたコンテンツを前記無線基地局経由で前記ユーザー装置へ提供するコンテンツ提供装置と、前記ユーザー装置向けの広告及びアンケートのいずれか一方又は双方に関する広告コンテンツを管理する広告管理装置と、をそなえた通信システムにおける前記無線基地局であって、
前記広告管理装置から通知された広告ＵＲＬを記憶部に格納し、前記コンテンツ提供装置から受信した前記ユーザー装置宛の前記コンテンツに、前記記憶部に格納された広告ＵＲＬを読みだして付加し、前記広告ＵＲＬが付加された前記コンテンツを前記ユーザー装置へ送信する送信部と、
所定期間において前記ユーザー装置について前記広告ＵＲＬの付加を行なった回数を計数する計数部と、
前記計数の結果を前記広告管理装置へ通知する通知部と、
をそなえたことを特徴とする、無線基地局。
【発明の詳細な説明】
【技術分野】
【０００１】
本件は、通信システム、広告管理装置、無線基地局に関する。
【背景技術】
【０００２】
近年、「フェムトセル（Femto Cell）」と呼ばれる超小型の無線基地局が提案されている。既存の無線基地局とは別にフェムトセルを設置する理由の一つは不感地帯対策である。例えば、家庭やオフィスなどの屋外から電波が届きにくい場所に、フェムトセルを設置することで、このような環境下にあるユーザー装置（User Equipment、ＵＥ）であっても移動通信サービスを享受することが可能となる。【０００３】
【特許文献１】特開２００１−１４７９３９号公報
【特許文献２】特開２００４−１０２４７５号公報
【特許文献３】特開２００３−１４３５８８号公報
【特許文献４】特開２００８−８５５１２号公報
【特許文献５】特開２００８−３５０５７号公報
【特許文献６】特開２００７−３００５８８号公報
【特許文献７】特開２００７−６２４９号公報
【発明の開示】
【発明が解決しようとする課題】
【０００４】
フェムトセルは、通信事業者が提供している既存のサービスエリアに対して補完的に用いられる。そのため、フェムトセルを配置しても特別なサービスを提供できなければ、ＵＥに対して付加価値を提供できない。したがって、ユーザーが主導的な立場で積極的にフェムトセルを導入する事例はそう多くはないと考えられる。【０００５】
そうすると、フェムトセルの設置は、通信事業者が設備投資の一環として費用を負担して、通信事業者が主導的な立場で行なうことが想定される。通信料の低価格化が進む近年の状況において、このような追加的な設備投資を実現するためには、何らかの方法で設備投資に見合った費用を効率的に確保、回収できるようにしたい。
【課題を解決するための手段】
【０００６】
例えば、以下の通信システム、広告管理装置、無線基地局を用いることができる。
（１）通信システムの一態様は、複数の無線基地局と、いずれかの前記無線基地局と無線通信する１又は複数のユーザー装置と、前記ユーザー装置の要求に応じたコンテンツを前記無線基地局経由で前記ユーザー装置へ提供するコンテンツ提供装置と、前記ユーザー装置向けの広告及びアンケートのいずれか一方又は双方に関する広告コンテンツを管理する広告管理装置と、をそなえ、前記広告管理装置は、前記コンテンツが格納されている位置を示す広告ＵＲＬを１又は複数の無線基地局へ通知し、前記無線基地局は、前記広告管理装置から通知された広告ＵＲＬを記憶部に格納し、前記コンテンツ提供装置から受信した前記ユーザー装置宛の前記コンテンツに、前記記憶部に格納された広告ＵＲＬを読みだして付加し、前記広告ＵＲＬが付加された前記コンテンツを前記ユーザー装置へ送信し、所定期間において前記ユーザー装置について前記ＵＲＬの付加を行なった回数を計数し、前記計数の結果を前記広告管理装置へ通知し、前記ユーザー装置は、前記無線基地局から前記コンテンツを受信した際に、前記コンテンツに付加されている前記広告ＵＲＬを用いて、前記広告コンテンツのダウンロード要求を送信し、前記広告ＵＲＬを用いたダウンロード要求に応じた前記広告コンテンツを、前記無線基地局を介して受信し、前記ユーザー装置の利用者に向けて出力する。
【０００７】
（２）広告管理装置の一態様は、前記通信システムにおける広告管理装置であって、前記無線基地局の位置情報に基づいて、前記広告コンテンツが格納されている位置を示す広告ＵＲＬを通知する１又は複数の無線基地局を選択する選択部と、前記選択部で選択された無線基地局へ前記広告ＵＲＬを通知する通知部と、をそなえる。
【０００８】
（３）無線基地局の一態様は、前記通信システムにおける無線基地局であって、前記広告管理装置から通知された広告ＵＲＬを記憶部に格納し、前記コンテンツ提供装置から受信した前記ユーザー装置宛の前記コンテンツに、前記記憶部に格納された広告ＵＲＬを読みだして付加し、前記広告ＵＲＬが付加された前記コンテンツを前記ユーザー装置へ送信する送信部と、所定期間において前記ユーザー装置について前記広告ＵＲＬの付加を行なった回数を計数する計数部と、前記計数の結果を前記広告管理装置へ通知する通知部と、をそなえる。
【発明の効果】
【０００９】
無線基地局に関する費用を効率的に獲得することが可能となる。
【図面の簡単な説明】
【００１０】
【図１】一実施形態に係る通信システムの一例を示す図である。
【図２】図１に例示する通信システムの詳細な一例を示す図である。
【図３】本実施形態の通信システムにおける第１の広告配信方法を説明するシーケンス図である。
【図４】本実施形態の通信システムにおける第２の広告配信方法を説明するシーケンス図である。
【図５】本実施形態のフェムトセルにおける広告ＵＲＬリストの取得処理の一例を示すフローチャートである。
【図６】本実施形態の広告管理サーバーで記憶、管理される情報の一例を示す図である。
【図７】本実施形態のフェムトセルから広告管理サーバーへ送信されるメッセージパラメータの一例を示す図である。
【図８】本実施形態のフェムトセルから広告管理サーバーへ送信されるメッセージパラメータの他の一例を示す図である。
【図９】本実施形態のフェムトセルで記憶、管理される情報の一例を示す図である。
【図１０】本実施形態のフェムトセルで記憶、管理される情報の他の一例を示す図である。
【図１１】本実施形態のフェムトセル管理サーバーで記憶、管理される情報（ユーザーカテゴリ関連）の一例を示す図である。
【図１２】本実施形態のフェムトセル管理サーバーで記憶、管理される情報（エリア関連）の一例を示す図である。
【図１３】本実施形態のフェムトセル管理サーバーと広告管理サーバーとの間で送受信されるメッセージパラメータの一例を示す図である。
【図１４】本実施形態の通信システムにおけるストリーミング再生のシーケンス例を示す図である。
【図１５】本実施形態のフェムトセルにおけるメタファイル書き換え例を説明する図である。
【図１６】本実施形態のフェムトセルにおけるメタファイル書き換え処理の一例を説明するフローチャートである。
【図１７】本実施形態のフェムトセルで記憶、管理される情報の一例を示す図である。
【図１８】本実施形態の通信システムにおける広告配信方法の一例をメタファイル書き換え処理に着目して説明するシーケンス図である。
【図１９】本実施形態のフェムトセルに対する広告配信ポリシーの設定情報例を示す図である。
【図２０】本実施形態のフェムトセルでの広告配信ポリシー設定に基づくメタファイル書き換え処理の一例を説明するフローチャートである。
【図２１】本実施形態の広告管理サーバーの構成例を示すブロック図である。
【図２２】本実施形態のフェムトセル管理サーバーの構成例を示すブロック図である。
【図２３】本実施形態のフェムトセルの構成例を示すブロック図である。
【図２４】本実施形態のフェムトセルの構成例を示すブロック図である。
【符号の説明】
【００１１】
１０  ユーザー装置（ＵＥ）
２０  広告挿入装置（フェムトセル）
２０１  有線処理部
２０２  無線処理部
２０３  記憶部
２０４  通知部
２０５  制御部
２５１  メタファイル検出部
２５２  ＵＲＬ格納部
２５３  ＩＭＳＩ抽出部
２５４  メタファイル処理部
３０  ＬＡＮ
４０  コンテンツ提供装置（メディアデータ提供装置、コンテンツサーバー）
５０  既存無線基地局（ＢＳ）
６０  アクセス回線
７０  移動通信網
８０  ＩＳＰ
９０  インターネット
１００  管理装置（フェムトセル管理サーバー）
１０１  広告管理サーバー通信部
１０２  フェムトセル位置情報管理部
１０３  ユーザーカテゴリ記憶部
１０４  制御部
１１０  広告管理装置（広告管理サーバー）
１１１  フェムトセル通信部
１１２  フェムトセル管理サーバー通信部
１１３  記憶部
１１４  制御部
１２０  ネットワーク（スイッチ）
１２１  ブロードバンドルーター
【発明を実施するための最良の形態】
【００１２】
以下、図面を参照して実施の形態を説明する。ただし、以下に説明する実施形態は、あくまでも例示であり、以下に明示しない種々の変形や技術の適用を排除する意図はない。即ち、本実施形態は、その趣旨を逸脱しない範囲で種々変形（各実施例を組み合わせる等）して実施することができる。【００１３】
（システム構成例）
図１は、一実施形態に係る通信システムの一例を示す図である。本例の通信システムは、例示的に、１又は複数のユーザー装置（ＵＥ）１０と、１又は複数のコンテンツ提供装置４０と、１又は複数の広告挿入装置２０と、広告挿入装置２０を管理する管理装置１００と、広告管理装置１１０と、スイッチ（ネットワーク）１２０とをそなえる。
【００１４】
スイッチ１２０は、当該通信システムのエンティティである、広告挿入装置２０、コンテンツ提供装置 ４０、管理装置１００及び広告管理装置１１０を互いに通信可能に接続し、いずれかのエンティティ間の通信ルートを提供する。【００１５】
コンテンツ提供装置 ４０は、映像、音声、音楽のいずれか１又は複数の組み合わせを含む１又は複数のコンテンツ（データ）を記憶、管理する。コンテンツには、例えば、映像（静止画像及び動画像のいずれか一方又は双方を含む）、文字、音声、音楽のいずれか１又は複数の組み合わせによるデータが含まれる。【００１６】
コンテンツ提供装置４０は、ＵＥ１０からのアクセス（要求）に応じて、保有するコンテンツをＵＥ１０宛に送信する。前記アクセスは、例えばＵＲＬ（Uniform Resource Locator）などのコンテンツの記憶位置を示す情報を用いて行なわれる。コンテンツ提供装置４０は、例えばパーソナルコンピュータ（ＰＣ）やサーバーとして設置されてもよい。【００１７】
ＵＥ１０は、広告挿入装置２０と無線による通信が可能である。ＵＥ１０は、データを無線により広告挿入装置２０と送受信することが可能な装置であれば足りる。その一例としては、携帯電話や、無線インタフェース付のラップトップコンピュータ、車載用の無線装置などが挙げられる。また、ＵＥ１０は、移動局に限られない。ＬＡＮ３０に接続された固定の通信装置、例えばデスクトップＰＣやサーバー、いわゆるデジタル家電などであってもよい。ＵＥ１０と広告挿入装置２０との間の無線通信には、既知の無線通信方式を用いることができる。その一例としては、Ｗ−ＣＤＭＡ（Wideband-Code Division Multiple Access）方式が挙げられる。【００１８】
ＵＥ１０は、広告挿入装置２０及びスイッチ１２０経由でコンテンツ提供装置４０にアクセスし、映像や音声（音楽）などのコンテンツを受信、再生することができる。再生には、画像表示及び音声出力の一方又は双方が含まれる。その際、広告挿入装置２０は、広告関連データの一例としてのコンテンツ（以下、広告コンテンツと称する）を、ＵＥ１０に併せて通知することができる。【００１９】
広告コンテンツは、ＵＥ１０向けの広告及びアンケートのいずれか一方又は双方に関するデータを含む。ＵＥ１０に通知するのは広告コンテンツの実体そのものでもよいし、広告コンテンツの実体が格納されている位置を示すＵＲＬとしてもよい。これにより、ＵＥ１０が、コンテンツ提供装置４０から映像などのコンテンツをメディアプレイヤーなどの所定のアプリケーションにより受信、再生する際に、広告コンテンツを再生させることも可能となる。【００２０】
広告コンテンツは、例えば、広告管理装置１１０により管理される。広告コンテンツの実体は、広告管理装置１１０内に記憶されてもよいし、別の装置に記憶されてもよい。別の装置に記憶される場合には、広告管理装置１１０では広告コンテンツが記憶されている場所（位置）を指定する情報、例えばＵＲＬを記憶、管理することとしてよい。広告管理装置１１０は、ＰＣとして設置してもよいしサーバーとして設置してもよい。【００２１】
管理装置１００は、広告挿入装置２０の設置場所に関する情報（位置情報）や、広告挿入装置２０を利用するＵＥ１０（ユーザー）に関する情報を管理する。この管理装置１００も、ＰＣやサーバーとして設置することができる。【００２２】
ＵＥ１０に関する情報には、例えば、個々のＵＥ１０の識別を可能にする情報（ＵＥ−ＩＤ）や、ＵＥ１０（ユーザー）のカテゴリ（ユーザカテゴリ）に関する情報が含まれる。ＵＥ−ＩＤには、例えば、ＩＭＳＩ（International Mobile Subscriber Identity）を用いることができる。ユーザーカテゴリ情報は、例えば、性別、年齢（１０代、２０代、…、５０代、など）、職業（学生、社会人、主婦、など）、又は、これらのいずれか２以上の組み合わせで表される情報とすることができる。【００２３】
広告挿入装置２０は、管理装置１００で管理されている情報を基に、広告管理装置１１０からのＵＥ１０宛の広告コンテンツ（ＵＲＬ）を適応的に選定することもできる。限定的でない一例として、広告挿入装置２０の位置情報を基に広告挿入装置２０の設置エリアに関連する広告配信を行なったり、ユーザーカテゴリを基にＵＥ１０のユーザーの性別や年齢、職業に適した広告配信を行なったりすることも可能である。【００２４】
また、広告挿入装置２０では、広告配信を行なった回数を例えば広告コンテンツのＵＲＬ（以下、広告ＵＲＬともいう）やＵＥ１０別に計数、管理することができる。広告挿入装置２０で得られた広告配信回数などの情報は、例えば、広告主のマーケティング戦略に資する情報の一つとして、広告主に提供することができる。【００２５】
広告挿入装置２０は、例えばフェムトセルと呼ばれる小型の基地局に装備することができる。その場合のシステム構成例を図２に示す。図２において、広告挿入装置２０の一例がフェムトセルであり、管理装置１００の一例がフェムトセル管理サーバーである。また、コンテンツ提供装置４０の一例がコンテンツサーバーであり、広告管理装置１１０の一例が広告管理サーバーである。さらに、ネットワーク１２０の一例が、ＬＡＮ３０、移動通信網７０、アクセス回線６０、インターネット９０である。【００２６】
フェムトセル２０は、屋外に設置される既存基地局（ＢＳ：Base Station）５０のサービスエリアを補完することを一つの目的とするため、例えば家庭やオフィスなどの屋内に設置されることが想定される。図２には、３台のフェムトセル２０が、地域（エリア）Ａ〜Ｃにそれぞれ１台ずつ設置されている様子を例示している。【００２７】
フェムトセル２０は、既存ＢＳ５０のサービスエリア（マクロセル）の補完という位置付けを有するため、セル半径や同時接続可能数がマクロセルに比べて小さい。例えば、マクロセルのセル半径が半径数ｋｍ程度であるのに対し、フェムトセル２０のセル半径は数ｍ〜数十ｍ程度である。また、同時接続可能なＵＥ１０の数も数台程度と少ない。【００２８】
そのため、フェムトセル２０を同時に利用できるＵＥ１０も限られるから、フェムトセル２０のサービスエリア内において、ＵＥ１０は、マクロセルと比べてより多くの無線リソース（例えば周波数）を独占的に使用することが可能である。【００２９】
したがって、マクロセルのような、数ｋｍといった大きな半径のセルで数十台や数百台といった多くのＵＥ１０をカバーする方式では、同一無線リソースが多くのＵＥ１０で共用されることと比較して、フェムトセル２０には、大きなアドバンテージがある。結果、フェムトセル２０では、マクロセルに比べて、無線リソースの共用による通信速度の低下が発生しにくいため、屋外環境と比較して高速な通信が期待できる。【００３０】
このようなフェムトセル２０の特性から、フェムトセル２０を利用して映像などの大容量データ（コンテンツ）を、ＰＣ等の固定通信端末だけでなくＵＥ１０にも提供（例えばストリーミング配信）するサービスが注目されている。このようなサービスの一例としては、Internet Protocol TeleVision（ＩＰＴＶ）が挙げられる。ＩＰＴＶは、ＩＰを利用してデジタルテレビ放送を配信するサービスであり、次世代ネットワーク（Next Generation Network：ＮＧＮ）のキラーコンテンツとして期待されている。【００３１】
また、フェムトセル２０を同時に利用可能なＵＥ数が限られるので、広告挿入装置２０をフェムトセルに適用することで、広告コンテンツのＵＥ１０に対する配信に関する処理や管理が、サービスエリア及び収容ＵＥ数の小さな各フェムトセル２０に分散される。したがって、広告管理サーバー１１０やコンテンツサーバー４０、あるいは他のサーバーや装置において集中的に広告コンテンツのＵＥ１０に対する配信を管理、実施する場合に比べて、処理や管理の負荷を軽減することができる。【００３２】
以下、図２に例示する通信システムについて、より詳細に説明する。
フェムトセル２０の設置形態の一つは、例えば、家庭やオフィス内に既設のルーター（図示省略）に接続することである。前記ルーターは、例えば、移動通信網７０やＩＳＰ（Internet Service Provider）８０（インターネット９０）との間の論理的な通信ルートの一例であるアクセス回線６０を提供する。【００３３】
アクセス回線６０には、例示的に、Asymmetric Digital Subscriber Line（ＡＤＳＬ）やCommunity Antenna TeleVision（ＣＡＴＶ）、光回線などのブロードバンド回線を適用できる。ブロードバンド回線を収容するルーターを、ブロードバンドルーターと呼ぶ。これにより、フェムトセル２０は、ＵＥ１０又は移動通信網７０あるいはＩＳＰ８０（インターネット９０）との間に、ＡＤＳＬやＣＡＴＶ、光回線などのブロードバンド回線６０経由の通信ルートを提供できる。【００３４】
また、フェムトセル２０は、前記ブロードバンドルーターが形成するＬＡＮ（Local Area Network）３０に接続されている通信装置（例えばＰＣやコンテンツサーバー４０）と、ＵＥ１０との間の通信ルートを提供することもできる。つまり、フェムトセル２０がＵＥ１０のアクセスポイント（ＡＰ）となることで、ＵＥ１０は、移動通信網７０を経由せずに、例えばイーサネット（登録商標）を通じてＬＡＮ３０上のＰＣ等と通信することができる。更には、ＵＥ１０がブロードバンド回線６０を経由して、直接的（移動通信網７０を経由せず）にＩＳＰ８０やインターネット９０上のコンテンツサーバー４０にアクセスする通信ルートを提供することも可能である。【００３５】
コンテンツサーバー４０は、映像や音声（音楽）などのデータを含むコンテンツを１又は複数記憶、管理し、ＵＥ１０からＵＲＬなどで指定される要求に応じてコンテンツの配信を行なう。また、コンテンツサーバー４０は、メタファイルを例えばコンテンツ毎に記憶、管理し、コンテンツの配信に先立って、対応するメタファイルを要求元ＵＥ１０に送信することもできる。メタファイルは、コンテンツ要求元のＵＥ１０のメディアプレイヤーなどのアプリケーションの起動やＵＥ１０上の表示レイアウトなどを指定する情報を記述したファイルである。【００３６】
コンテンツサーバー４０の設置箇所に制限はなく、ＵＥ１０がアクセスできる環境にあればよい。例えば、コンテンツサーバー４０は、フェムトセル２０が設置されたＬＡＮ３０に接続される形態もあるし、フェムトセル２０が設置されたＬＡＮ３０以外のネットワーク（インターネット９０や他のＬＡＮ３０）に接続される形態もある。【００３７】
フェムトセル管理サーバー１００は、各フェムトセル２０を管理する。このフェムトセル管理サーバー１００の設置箇所にも制限はない。移動通信事業者（キャリア）が管理する設備の一つとして移動通信網７０に接続される形態もあるし、ＩＳＰ８０が管理する設備の一つしてインターネット９０に接続される形態もある。図２には、前者の場合を例示している。いずれの形態においても、フェムトセル管理サーバー１００は、アクセス回線６０経由で各フェムトセル２０と通信することができる。【００３８】
フェムトセル管理サーバー１００が管理する情報には、フェムトセル２０の設置場所に関する情報（位置情報）や、フェムトセル２０に接続するＵＥ１０に関する情報が含まれる。フェムトセル２０の位置情報は、例えばＩＰアドレスなどのアドレス情報、設置エリアを特定する地理的な情報（エリア情報）又はこれらを関連付けた情報（図１２参照）とすることができる。【００３９】
エリア情報は、神奈川県などの県単位、あるいは横須賀市などの市や区単位、又は、これらよりも小さい地区、建造物、階数、フロアなどの単位で示される情報として表現することができる。また、これらの情報を適宜に組み合わせて表現してもよい。【００４０】
ＵＥ１０に関する情報には、ユーザーカテゴリ情報（性別、年齢、職業又はこれらのいずれか２以上の組み合わせ）が含まれ、フェムトセル管理サーバー１００において、ＵＥ１０（ユーザー）の識別情報（ＵＥ−ＩＤ）と関連付けて記憶、管理することができる。ＵＥ−ＩＤには、例示的に、ＩＭＳＩを用いることができる（図１１参照）。【００４１】
広告管理サーバー１１０は、ＵＥ１０に提供する１又は複数の広告コンテンツを記憶、管理する。広告コンテンツには、映像（静止画像及び動画像のいずれか一方又は双方）、音声、音楽又はこれらのいずれか２以上の組み合わせのデータが含まれる。画像には、いわゆるバナーも含まれる。広告管理サーバー１１０は、ＵＲＬなどによって指定される要求に応じて、要求元ＵＥ１０宛に広告用のバナーを送信したり、広告用の映像コンテンツをストリーミング配信したりすることができる。また、広告管理サーバー１１０は、広告主などが広告コンテンツの配信を希望するエリア情報などを記憶、管理する。【００４２】
図６に、広告管理サーバー１１０で記憶、管理される情報の一例を例示する。この図６に示すように、広告管理サーバー１１０は、例示的に、広告コンテンツ、広告ＵＲＬ、配信先フェムトセル２０のアドレス情報（例えばＩＰアドレス）、広告主などが配信を希望するエリア情報、広告配信回数、広告配信したＵＥ１０のカテゴリ（ユーザーカテゴリ）を管理、記憶する。広告配信回数については、ユーザーカテゴリ＃０〜＃ｎ（ｎは１以上の整数）別に記憶、管理することも可能である。ユーザーカテゴリは、予め設定情報として保持しておいてもよいし、後述するようにフェムトセル管理サーバー１００から取得してもよい。【００４３】
前記エリア情報（以下、広告配信希望エリア情報ともいう）は、神奈川県などの県単位、あるいは横須賀市などの市や区単位、又は、これらよりも小さい地区、建造物、階数、フロアなどの単位で示される情報として表現することができる。また、これらの情報を適宜に組み合わせて表現してもよい。【００４４】
広告管理サーバー１１０にも、設置箇所の制限はない。キャリアが管理する設備の一つとして移動通信網７０に接続される形態もあるし、ＩＳＰ８０が管理する設備の一つしてインターネット９０に接続される形態もある。図２には、前者の場合を例示している。いずれの形態でも、広告管理サーバー１１０は、例示的に、アクセス回線６０経由で各フェムトセル２０と通信することができる。この通信において、広告管理サーバー１１０は、記憶、管理している広告コンテンツ（ＵＲＬ）を適宜にフェムトセル２０に提供可能である。【００４５】
また、広告管理サーバー１１０は、フェムトセル管理サーバー１００とも通信可能である。当該通信において、広告管理サーバー１１０は、フェムトセル２０で記憶、管理されている情報の提供を受けたり、フェムトセル２０から受信される情報をフェムトセル管理サーバー１００に提供したりすることができる。図１３に、広告管理サーバー１１０とフェムトセル管理サーバー１００との間の通信で送受されるメッセージパラメータの一例を示す。【００４６】
図１３において、エリア情報は、広告管理サーバー１１０からフェムトセル管理サーバー１００へ送信される情報（広告配信希望エリア情報）である。この広告配信希望エリア情報を受信したフェムトセル管理サーバー１００は、例えば図１２に例示した記憶情報を基に、当該エリア情報が示すエリアに設置されている１又は複数のフェムトセル２０のＩＰアドレスを広告管理サーバー１１０に返す。【００４７】
広告管理サーバー１１０は、このＩＰアドレスを受信することで、広告コンテンツ（ＵＲＬ）の配信対象とするフェムトセル２０を決定することができる。また、広告管理サーバー１１０からフェムトセル管理サーバー１００へは、ＩＭＳＩが送信される場合もある。このＩＭＳＩを受信したフェムトセル管理サーバー１００は、受信ＩＭＳＩにより識別されるユーザーカテゴリ情報を広告管理サーバー１１０に返すことができる。【００４８】
なお、以上のフェムトセル管理サーバー１００の機能の一部又は全部と、広告管理サーバー１１０の機能の一部又は全部とは、統合されていてもよい。【００４９】
ＵＥ１０は、フェムトセル２０経由でコンテンツサーバー４０にアクセスすることで、当該コンテンツサーバー４０から映像などのコンテンツを受信することができる。ＵＥ１０は、受信したコンテンツを表示、再生可能なブラウザやメディアプレイヤーなどのアプリケーションを具備し、当該アプリケーションによってコンテンツのいわゆるストリーム受信、再生を行なうことができる。【００５０】
本例では、当該フェムトセル２０において、広告ＵＲＬを、コンテンツサーバー４０から受信されるＵＥ１０宛のコンテンツに付加（挿入）する。また、いずれのＵＥ２０宛のコンテンツに対して広告ＵＲＬを何回挿入（配信）したかを計数して、広告主などに提供することも可能とする。【００５１】
そのため、フェムトセル２０は、広告コンテンツ（広告ＵＲＬ）別に、あるいは、ＵＥ１０別に、広告挿入回数、つまりは広告配信（通知）回数をカウントして、その情報を記憶、管理する。その限定的でない一例を図９及び図１０に示す。図９は、広告ＵＲＬ別に、配信回数と配信先ＵＥ１０（ＩＭＳＩ＃０〜＃ｎ）とを管理する様子を例示している。一方、図１０は、ＵＥ１０（ＩＭＳＩ）別に、広告ＵＲＬ＃０〜＃ｍ（ｍは１以上の整数）毎の配信回数を管理する様子を例示している。
【００５２】
これらの情報は、広告管理サーバー１１０に適宜に通知することができる。この通知に用いるメッセージパラメータの一例を図７及び図８に示す。いずれのメッセージも、広告コンテンツ（ＵＲＬ）の配信を受けたフェムトセル２０のＩＰアドレスが送信元アドレスとして設定され、メッセージ本体には、図９又は図１０と同様の形式で情報が設定される様子を例示している。【００５３】
フェムトセル２０による広告ＵＲＬの挿入は、例えば、コンテンツサーバー４０からＵＥ１０へのコンテンツの送信に先立ってＵＥ１０宛に送信されるメタファイルを書き換えることで実施できる。メタファイルは、ＵＥ１０のブラウザやメディアプレイヤーなどの所定のアプリケーションの起動、表示レイアウトなどを指定するのに用いられる。このメタファイルに、広告ＵＲＬを挿入することで、ＵＥ１０が所定のアプリケーションでコンテンツをストリーミング受信、再生する際に、挿入された広告ＵＲＬで指定される広告コンテンツを当該アプリケーションにて受信、再生させることが可能となる。【００５４】
以下、上述した通信システムにおける広告配信方法の一例について、図３及び図４に例示するシーケンス図を参照しながら説明する。なお、図３は第１の広告配信方法に係るシーケンス、図４は第２の広告配信方法に係るシーケンスをそれぞれ例示している。【００５５】
（第１の広告配信方法）
図３に例示するように、広告管理サーバー１１０では、広告コンテンツを取得、記憶する（処理Ｐ１０１）。また、広告コンテンツのＵＲＬリストを生成し管理する。併せて、広告配信希望エリア情報を設定（決定）する（処理Ｐ１０２）。広告コンテンツ、広告配信希望エリア情報は、例えば広告主から提供された情報を基に１又は複数設定することができる。【００５６】
広告管理サーバー１１０は、１又は複数の前記広告配信希望エリア情報をフェムトセル管理サーバー１００に通知する（処理Ｐ１０３）。この通知を受けたフェムトセル管理サーバー１００は、図１２に例示した記憶情報を基に、通知された前記エリア情報に対応する１又は複数のフェムトセル２０のＩＰアドレスを取得し、当該ＩＰアドレスを広告管理サーバー１１０に返信する（処理Ｐ１０４）。【００５７】
広告管理サーバー１１０は、フェムトセル管理サーバー１００から取得したＩＰアドレスの中から、広告ＵＲＬの挿入を行なう１又は複数のフェムトセル２０のＩＰアドレスを決定し（処理Ｐ１０５）、該当するＩＰアドレスをもつフェムトセル２０に対して、配信を依頼する広告ＵＲＬを通知する（処理Ｐ１０６）。【００５８】
フェムトセル２０は、広告管理サーバー１１０から広告ＵＲＬを受信すると、当該広告ＵＲＬを記憶、管理する（処理Ｐ１０７）。この記憶、管理は、例えばリスト（テーブル）形式で行なうことができる。【００５９】
その後、或るＵＥ１０がいずれかのフェムトセル２０経由でコンテンツサーバー４０に対してコンテンツ要求を行なうと（処理Ｐ１０８）、コンテンツサーバー４０は、当該フェムトセル２０に対して、ＵＥ１０が要求したコンテンツを送信する（処理Ｐ１０９）。なお、ＵＥ１０がコンテンツサーバー４０にアクセスしてコンテンツを受信する際に、フェムトセル２０は、ＩＭＳＩを認識することができる。この認識は、例えばＵＥ１０に与えたＩＰアドレスとＩＭＳＩとを対応付けて管理することで実現できる。【００６０】
フェムトセル２０は、コンテンツサーバー４０から受信したコンテンツを該当ＵＥ１０宛に送信（中継）する際に、広告管理サーバー１１０から通知された広告ＵＲＬを挿入（通知）する。また、当該広告ＵＲＬの挿入回数を計数し、図９又は図１０に例示したように、計数結果をＵＥ１０のＩＭＳＩとともに記憶、管理する（処理Ｐ１１０及び処理Ｐ１１１）。これらのフェムトセル２０での処理の詳細については後述する。【００６１】
ＵＥ１０は、コンテンツサーバー４０からフェムトセル２０経由で受信したコンテンツを所定のアプリケーションにて受信、再生する（処理Ｐ１１２）。その際、ＵＥ１０は、フェムトセル２０から通知された広告ＵＲＬに従って広告管理サーバー１１０にアクセスして、広告コンテンツを受信、再生することもできる。広告コンテンツの再生は、前記アプリケーションで行なってもよいし、個別のアプリケーションで行なってもよい。広告コンテンツを再生可能なアプリケーションであれば足りる。例えば、コンテンツサーバー４０からのコンテンツを再生可能なブラウザやメディアプレイヤーのウィンドウの一部で広告コンテンツを再生してもよいし、別ウィンドウで再生してもよい。【００６２】
フェムトセル２０では、所定期間（例えば一ヶ月）、ＵＥ１０に対する広告ＵＲＬの挿入（通知）と通知回数のカウントとを継続する。所定期間が満了後、フェムトセル２０は、それまでにＵＥ１０宛に通知した広告ＵＲＬ、通知回数、通知したＩＭＳＩを集計し（処理Ｐ１１３）、集計結果を、例えば図７又は図８に例示したような形式で、広告管理サーバー１１０に通知する（処理Ｐ１１４）。【００６３】
広告管理サーバー１１０は、フェムトセル２０から１又は複数のＩＭＳＩが通知された場合、当該ＩＭＳＩをフェムトセル管理サーバー１００に通知することで、対応するユーザーカテゴリ情報を要求する（処理Ｐ１１５）。【００６４】
フェムトセル管理サーバー１００は、広告管理サーバー１１０から通知された１又は複数のＩＭＳＩに対応するユーザーカテゴリ情報（図１１参照）を取得し、広告管理サーバー１１０に通知する（処理Ｐ１１６）。この通知は、性別、年齢、職業などのユーザーカテゴリを示す所定のコード（識別子）により行なってもよい。【００６５】
広告管理サーバー１１０は、フェムトセル管理サーバー１００から取得したユーザーカテゴリ情報に基づき、各フェムトセル２０から通知された集計結果を集計する（処理Ｐ１１７）。例えば、各フェムトセル２０から通知された広告ＵＲＬの、配信したユーザーカテゴリ別の配信回数を集計する。この集計の結果は、適宜に広告主などに提供できる。これにより、広告主などは、どのようなユーザーに対してどのような広告がどの程度の頻度で配信されたかといった情報を把握することが可能となる。【００６６】
フェムトセル２０及び／又は広告管理サーバー１１０を管理する通信事業者（例えば、移動通信事業者）は、このような広告配信サービスの利用に対する対価を広告主などから徴収することができる。徴収した対価は、フェムトセル２０の設置、保守運用などに充てることができる。【００６７】
したがって、通信事業者は、フェムトセル２０に関する設備投資に見合った費用を効率的に獲得（確保、回収）でき、ひいては、通信事業者の財務状況の改善、フェムトセル２０の普及促進を図ることができる。【００６８】
（第２の広告配信方法）
第１の広告配信方法において、広告管理サーバー１１０は、広告配信希望エリアに属する各フェムトセル２０を一律に広告ＵＲＬの通知対象に選んでいるが、例えば、ユーザーカテゴリ情報に基づいて、広告ＵＲＬの通知対象を広告配信希望エリアに属するフェムトセル２０の中でもいずれかに限定することもできる。そのシーケンス例を図４に示す。【００６９】
この図４において、処理Ｐ１０１〜Ｐ１０４までの処理は、第１の広告配信方法と同様である。処理Ｐ１２１において、フェムトセル管理サーバー１００からフェムトセル２０の位置情報（例えばＩＰアドレス）を受信（取得）した広告管理サーバー１１０は、受信したＩＰアドレスに対応する１又は複数のフェムトセル２０に対して、当該フェムトセル２０に登録、管理されているＵＥ−ＩＤ（例えばＩＭＳＩ）を問い合わせる（処理Ｐ１２２）。なお、各フェムトセル２０に登録（管理）されているＩＭＳＩをフェムトセル管理サーバー１００が管理している場合には、広告管理サーバー１１０は、前記問い合わせをフェムトセル管理サーバー１００に対して行なってもよい。【００７０】
フェムトセル２０（又はフェムトセル管理サーバー１００）は、当該フェムトセル２０で管理しているＩＭＳＩを広告管理サーバー１１０に応答する（処理Ｐ１２３）。当該フェムトセル２９で管理しているＩＭＳＩが存在しない場合は、当該応答は行なわなくてもよいし、存在しない旨を応答してもよい。また、広告管理サーバー１１０に対するＩＭＳＩの通知は、前記問い合わせの有無に関わらず、所定のタイミングあるいは周期的なタイミングなど、フェムトセル２０に都合の良いタイミングでフェムトセル２０が自律的に行なってもよい。フェムトセル２０に都合の良いタイミングとは、例えば、フェムトセル２０の処理負荷が所定の閾値以下であるタイミングである。【００７１】
広告管理サーバー１１０は、フェムトセル２０（又はフェムトセル管理サーバー１００）から取得した１又は複数のＩＭＳＩをフェムトセル管理サーバー１００に通知することでユーザーカテゴリ情報を要求する（処理Ｐ１２４）。【００７２】
フェムトセル管理サーバー１００は、広告管理サーバー１１０から通知されたＩＭＳＩに対応する１又は複数のユーザーカテゴリ情報（図１１参照）を取得し、広告管理サーバー１１０に通知する（処理Ｐ１２５）。この通知は、性別、年齢、職業などのユーザーカテゴリを示す所定のコード（識別子）により行なってもよい。【００７３】
広告管理サーバー１１０は、取得したユーザーカテゴリ情報に基づいて、広告ＵＲＬを通知する対象のフェムトセル２０を決定する。例えば、広告主などが配信を希望しているユーザーカテゴリに属するＵＥ１０が収容されているフェムトセル２０を、広告ＵＲＬを通知する対象として決定する（処理Ｐ１２６）。これによれば、広告ＵＲＬを通知する対象を、広告主が配信を希望するユーザーカテゴリのＵＥ１０に絞り込むことができる。【００７４】
このような絞り込み（選定）には、ユーザー設定情報という形式でＵＥ１０の要求に応じた情報を用いてもよい。当該情報の一例としては、広告コンテンツの配信に関する諸設定情報（例えば、広告配信希望（又は拒否）時間など）が挙げられる。かかる情報は、例えば、前記ＩＭＳＩに代えてあるいはＩＭＳＩに加えて、フェムトセル２０（又はフェムトセル管理サーバー１００）から取得することが可能である。【００７５】
広告管理サーバー１１０は、広告ＵＲＬの通知対象に決定したフェムトセル２０に対して、広告ＵＲＬを通知する（処理Ｐ１０６）。この際、図５に例示するように、広告管理サーバー１１０は、配信希望ＩＭＳＩを併せてフェムトセル２０に通知することもできる。このＩＭＳＩは、１台のフェムトセル２０に複数のＵＥ１０がアクセスする場合、その中で配信を希望するＵＥ１０のみを広告配信対象として選択するのに用いることができる。また、代替的あるいは追加的に、広告管理サーバー１１０は、配信する広告ＵＲＬの優先順位を表す情報をフェムトセル２０に通知してもよい。前記優先順位（広告配信優先度）を予め決めておき、この情報をフェムトセル２０に通知すれば、フェムトセル２０はその情報に基づいて広告配信優先順位を決定することができる。【００７６】
フェムトセル２０は、広告管理サーバー１１０から広告ＵＲＬを受信すると、当該広告ＵＲＬを記憶、管理する。この記憶、管理は、例えばリスト形式で行なうことができる（図４及び図５の処理Ｐ１０７）。【００７７】
その後、ＵＥ１０がフェムトセル２０経由でコンテンツサーバー４０にアクセスしてコンテンツを受信する場合、第１の広告配信方法（図３の処理Ｐ１０８〜Ｐ１１４及びＰ１１７）と同様にして、ＵＥ１０に対する広告ＵＲＬの通知、通知回数のカウント、集計などの処理が行なわれる。なお、本例において、集計に用いることのできるユーザーカテゴリ情報は、既にフェムトセル管理サーバー１００から取得済みである。【００７８】
また、図示は省略するが、集計される情報には、広告配信（広告ＵＲＬの通知）を行なった時間に関する情報や、広告ＵＲＬの挿入（通知）ポリシーなどが含まれてもよい。これにより、例えば広告配信対象をＬＡＮ３０上のＰＣからのストリーミングであっても無制限に許可するユーザーに対して対価を用意するなどのサービスを提供することもできる。【００７９】
以上のように、第２の広告配信方法によれば、広告主などが広告配信したいエリア内のフェムトセル２０の中で、所定のユーザーカテゴリのＵＥ１０を収容するフェムトセル２０に絞って選択的に広告ＵＲＬを通知して広告配信、集計を依頼することができる。したがって、第１の広告配信方法と同様の効果ないし利点が得られるほか、より効率的な広告配信が可能となる。【００８０】
（広告挿入処理の具体例）
次に、フェムトセル２０での広告挿入処理の具体例について説明する。
コンテンツサーバー４０は、映像や音声（音楽）などのコンテンツを保有しており、所定のストリーム配信機能（アプリケーション）を有する。アプリケーションの一例としては、Windows Media（登録商標）やRealなどが挙げられる。ストリーミング配信では、所定のストリーミングプロトコルが用いられる。その一例としては、ＨＴＴＰ（Hypertext Transfer Protocol）やＷＭＰ、ＲＴＰ（Real-time Transport Protocol）などが挙げられる。【００８１】
コンテンツサーバー４０が管理するコンテンツへのアクセスは、例えばＵＲＬによって行なわれる。ＵＥ１０からのアクセスの際には、Windows Media PlayerやReal Player（登録商標）などのプレイヤーを起動するためのメタファイル（Windows Mediaの場合、.wvx、Realの場合.ram）にアクセスさせる。【００８２】
メタファイルには、メディアプレイヤーがコンテンツを再生する際の表示レイアウトに関する情報や、再生させるコンテンツのＵＲＬなどが格納（記述）される。このため、個々のコンテンツに対してメタファイルが用意され、コンテンツサーバー４０で管理される。ストリーミング再生は、例えば図１４に例示するシーケンスによって行なわれる。【００８３】
フェムトセル２０では、前記第１又は第２の広告配信方法により広告管理サーバー１１０から通知された広告コンテンツのＵＲＬ（広告ＵＲＬ）を記憶、管理している。【００８４】
例えば図１８に示すように、広告管理サーバー１１０は、フェムトセル２０に対して広告ＵＲＬを通知する。その際、配信希望ＩＭＳＩや、広告配信優先度、広告コンテンツの形式（ファイルタイプ）などの情報を併せて通知することもできる（処理Ｐ１０６）。【００８５】
フェムトセル２０は、広告管理サーバー１１０から通知された広告ＵＲＬを既述のように記憶、管理する（処理Ｐ１０７）。【００８６】
その後、ＵＥ１０が、フェムトセル２０経由でコンテンツサーバー４０に、或るメディアコンテンツ（ＵＲＬ）に対するコンテンツ要求（ストリーム要求）を送信すると（処理Ｐ１０８）、コンテンツサーバー４０は、要求されたコンテンツに対応するメタファイルのＵＲＬをフェムトセル２０に送信する（処理Ｐ１０９）。なお、メタファイルのＵＲＬは、コンテンツのＵＲＬを管理するコンテンツサーバー４０とは異なる装置で管理されてもよい。本例では、同じサーバー４０で管理されているものと仮定する。【００８７】
フェムトセル２０は、コンテンツサーバー４０から受信したＵＥ１０宛のデータが前記メタファイルであった場合、図１６に例示するように、ＵＥ１０宛のストリーミング開始を検出する。すると、フェムトセル２０は、受信したメタファイルのファイルタイプをチェックし（Windows Media系かReal系かなど）、各々のレイアウト記述をチェックする（処理Ｐ２０１）。【００８８】
さらに、フェムトセル２０は、挿入する広告コンテンツの形式（映像か音声かなど）をチェックする（処理Ｐ２０２）。また、フェムトセル２０は、ユーザー確認を行なう。例えば、フェムトセル２０は、アクセスしてきたＵＥ１０のＩＰアドレスとＩＭＳＩとを関連付けて記憶、管理しておくことで、ＵＥ１０宛のデータのＩＰアドレスからＩＭＳＩを導き出すことができる（処理Ｐ２０３）。【００８９】
そして、フェムトセル２０は、ＵＥ１０宛のコンテンツに挿入可能な広告ＵＲＬの有無をチェックし（処理Ｐ２０４）、無ければ処理を終了し（処理Ｐ２０４のＮルート）、有れば挿入する広告コンテンツを決定する（処理Ｐ２０４のＹルートから処理Ｐ２０５）。広告コンテンツには、例えば、バナー広告、映像広告、音声広告、又は、これらのいずれか２以上の組み合わせのデータが含まれる。【００９０】
ここで、ＵＥ１０が再生するコンテンツによって挿入する広告ＵＲＬが異なるため、再生されるファイルタイプに合わせて挿入すべき広告ＵＲＬが決定される。この決定は、広告管理サーバー１１０から要求された広告配信優先度や、配信対象ＩＭＳＩに基づいて行なうことができる。その決定アルゴリズムについては不問である。【００９１】
フェムトセル２０は、決定した広告ＵＲＬを前記検出したメタファイルに挿入して書き換える（処理Ｐ２０６）。この書き換えの際に、フェムトセル２０は、挿入する広告ＵＲＬが示す広告コンテンツの形式をチェックする。音声やビデオなどの広告コンテンツの場合には、例えば、コンテンツ再生前あるいはコンテンツ再生とともに再生されるようにメタファイルを記述する。広告コンテンツがバナーの場合には、例えば、レイアウト変更により広告コンテンツが表示可能なレイアウト記述に変更する。図１５には、バナー広告を表示させるためのメタファイルの書き換え例を示している。【００９２】
メタファイルの書き換え（広告ＵＲＬの挿入）により、フェムトセル２０は、広告ＵＲＬの挿入回数をカウントアップ（＋１）する（処理Ｐ２０７）とともに、書き換えたメタファイルをＵＥ１０宛に送信する（処理Ｐ２０８）。【００９３】
なお、フェムトセル２０は、例えば図１７に示すように、広告ＵＲＬ、広告コンテンツの形式（バナー、音声、映像など）、広告ＵＲＬをメタファイルに挿入した回数、広告管理サーバー１１０から要求された広告配信優先度、配信対象ＩＭＳＩなどをパラメータとして記憶、管理することができる。【００９４】
ＵＥ１０は、フェムトセル２０から受信したメタファイルを基に、プレイヤーを起動し、メタファイルに記述されているコンテンツのＵＲＬ及び広告ＵＲＬに対するアクセスを行ない（処理Ｐ１１１−１及びＰ１１１−３）、コンテンツ及び広告を受信し（処理Ｐ１１１−２及びＰ１１１−４）、再生する（処理Ｐ１１２）。【００９５】
（変形例）
上述した広告ＵＲＬの挿入は、フェムトセル２０経由でＵＥ１０宛に送信されるデータ（コンテンツ）の送信元（アドレス情報）に応じて、選択的に実施することも可能である。【００９６】
例えば、フェムトセル２０での広告ＵＲＬの挿入は、インターネット９０上のコンテンツサーバー４０から受信したＵＥ１０宛のコンテンツに制限することもできる。つまり、ＬＡＮ３０上に存在するコンテンツサーバー４０やＰＣから受信したＵＥ１０宛のコンテンツには、広告ＵＲＬの挿入を実施しないこととしてしてもよい。この実施／不実施は、フェムトセル２０に対する広告配信ポリシーの設定によって実現できる。【００９７】
この設定には、例えば図１９に示すように、ＩＭＳＩ毎のＬＡＮ側広告対象設定フラグを用いることができる。例示的に、ＬＡＮ３０側からの受信データに対して広告ＵＲＬの挿入を実施する場合には当該設定フラグを１とし、そうでない場合には０とする。【００９８】
フェムトセル２０は、当該設定フラグに応じて、ＵＥ１０宛に受信したデータに対する広告ＵＲＬの挿入の要否を判断する。一例を図２０に示す。フェムトセル２０は、ＵＥ１０宛の受信データとしてメタファイルを検出すると（処理Ｐ３０１）、当該メタファイルがＬＡＮ３０側から受信したデータか否かをチェックする（処理Ｐ３０２）。【００９９】
ＬＡＮ３０側から受信したメタファイルであれば、フェムトセル２０は、前記設定フラグを参照して、ＬＡＮ３０側からの受信データに対する広告ＵＲＬの挿入が許容されているか否かをチェックする（処理Ｐ３０２のＹルートから処理Ｐ３０３）。挿入が許容されていなければ、フェムトセル２０は、当該メタファイルに対する広告ＵＲＬの挿入は行なわずに（処理Ｐ３０３のＹルートから処理Ｐ３０４）、当該メタファイルをＵＥ１０宛に送信する。【０１００】
一方、受信したメタファイルがＬＡＮ３０側からのものではない場合や、前記設定フラグが広告ＵＲＬの挿入を許容することを示している場合（処理Ｐ３０２又は処理Ｐ３０３のＮルート）、フェムトセル２０は、既述の実施例と同様にして、広告ＵＲＬの挿入を実施する（処理Ｐ３０５）。【０１０１】
（エンティティの構成例）
以下、上述した本実施形態の広告配信方法を実現する、広告管理サーバー１１０，フェムトセル管理サーバー１００、フェムトセル２０の構成例について説明する。なお、図２１が広告管理サーバー１１０の構成例、図２２及び図２３がフェムトセル２０の構成例、図２４がフェムトセル管理サーバー１００の構成例をそれぞれ示す。【０１０２】
（広告管理サーバー１１０）
図２１に示すように、広告管理サーバー１１０は、例示的に、フェムトセル通信部１１１と、フェムトセル管理サーバー通信部１１２と、記憶部１１３と、制御部１１４とをそなえる。【０１０３】
フェムトセル通信部１１１は、フェムトセル２０との通信を行なう。フェムトセル２０との通信には、図７又は図８に例示したように、ＩＭＳＩや広告ＵＲＬ、広告回数（広告ＵＲＬをＵＥ１０宛のメディアデータに付加した回数）などのメッセージパラメータが含まれる。ＩＭＳＩは、フェムトセル２０から受信したメッセージを終端することで取得され、制御部１１４に与えられる。また、フェムトセル２０に通知する広告ＵＲＬは、制御部１１４にて選定されて当該通信部１１１に与えられる。【０１０４】
フェムトセル管理サーバー通信部１１２は、フェムトセル管理サーバー１００との通信を行なう。フェムトセル管理サーバー１００との通信には、図１３に例示したように、エリア情報（送信）、ＩＰアドレス（受信）、ＩＭＳＩ（送信）、ユーザーカテゴリ情報（受信）などのメッセージパラメータが含まれる。フェムトセル管理サーバー１００へのエリア情報及びＩＭＳＩの送信に対してそれぞれ受信したＩＰアドレス及びユーザーカテゴリ情報は、制御部１１４に与えられる。【０１０５】
記憶部１１３は、制御部１１４による制御の下、図６に例示した情報を記憶、管理する。【０１０６】
制御部１１４は、各通信部１１１及び１１２による通信、記憶部１１３に対する書き込み及び読み出しの制御を行なう。また、制御部１１４は、記憶部１１３と連携して、フェムトセル管理サーバー１００から受信したＩＰアドレスを基に、広告ＵＲＬを通知するフェムトセル２０の選定を行ない、該当フェムトセル２０宛の広告ＵＲＬを選定してフェムトセル通信部１１１に与える。【０１０７】
つまり、制御部１１４は、フェムトセル２０の位置情報の一例であるＩＰアドレスに基づいて、広告関連データの一例である広告ＵＲＬを通知する１又は複数のフェムトセル２０を選択する選択部の一例としての機能を具備する。また、通信部１１１は、この選択部の一例として機能する制御部１１４で選択されたフェムトセル２０宛に前記広告関連データの一例である広告ＵＲＬを通知する通知部の一例として用いられる。【０１０８】
なお、前記フェムトセル２０の選択においては、前記第２の広告配信方法のように、フェムトセル２０の位置情報とＵＥ１０のユーザーカテゴリ情報とに基づく所定の条件に合致するフェムトセル２０を、広告ＵＲＬの通知を行なうフェムトセル２０に選ぶこともできる。前記条件は、例えば、広告主が広告配信を希望するエリア内のフェムトセル２０の中で、ユーザーカテゴリ情報に合致するフェムトセル２０とすることができる。【０１０９】
さらに、制御部１１４は、フェムトセル通信部１１１経由で受信された情報を基に、ＵＥ１０宛に広告配信を行なった回数を集計することもできる。つまり、フェムトセル通信部１１１は、フェムトセル２０において広告ＵＲＬがＵＥ１０宛のメディアデータに付加された回数についての計数結果の通知を各フェムトセル２０から受ける受信部の一例として機能する。また、制御部１１４は、前記計数結果を集計する集計部の一例としての機能を具備する。この集計は、ＵＥ１０のユーザーカテゴリ情報に基づいて行なうことできる。【０１１０】
（フェムトセル管理サーバー１００）
図２２に示すように、フェムトセル管理サーバー１００は、例示的に、広告管理サーバー通信部１０１と、フェムトセル位置情報管理部１０２と、ユーザーカテゴリ記憶部１０３と、制御部１０４とをそなえる。【０１１１】
広告管理サーバー通信部１０１は、広告管理サーバー１１０と通信する。この通信において、広告管理サーバー１１０からは、エリア情報及び／又はＩＭＳＩが受信される。エリア情報は、フェムトセル２０のアドレス解決に用いられ、ＩＭＳＩは、ユーザーカテゴリの解決に用いられる。これらの情報は、制御部１０４に与えられる。【０１１２】
フェムトセル位置情報管理部１０２は、エリア情報と１又は複数のＩＰアドレスとを関連付けて記憶、管理する。なお、フェムトセル２０に対するＩＰアドレスの割当の方法によっては、単一のＩＰアドレスで複数のフェムトセル２０を指定することもできる。限定的でない一例として、サブネットマスクを利用することができる。制御部１０４は、広告管理サーバー通信部１０１から与えられたエリア情報を基に、対応する１又は複数のフェムトセル２０のＩＰアドレスを当該管理部１０２から取得することができる。取得したＩＰアドレスは、広告管理サーバー通信部１０１に与えられ、広告管理サーバー１１０に通知される。【０１１３】
ユーザーカテゴリ記憶部１０３は、ＩＭＳＩとユーザーカテゴリ情報とを関連付けて記憶、管理する。制御部１０４は、広告管理サーバー通信部１０１から与えられたＩＭＳＩを基に、対応するユーザーカテゴリ情報を当該記憶部１０３から取得することができる。取得したユーザーカテゴリ情報は、広告管理サーバー通信部１０１に与えられ、広告管理サーバー１１０に通知される。なお、ユーザーカテゴリ情報は、予めフェムトセル２０を設置する段階で記憶部１０３に設定しておくことができる。【０１１４】
（フェムトセル２０）
図２３及び図２４に示すように、フェムトセル２０は、例示的に、有線処理部２０１と、無線処理部２０２と、記憶部２０３と、通知部２０４と、制御部２０５とをそなえる。さらに、制御部２０５は、図２４に例示するように、メタファイル検出部２５１と、ＵＲＬ格納部２５２と、ＩＭＳＩ抽出部２５３と、メタファイル処理部２５４とをそなえる。【０１１５】
有線処理部２０１は、ブロードバンドルーター１２１経由で広告管理サーバー１１０やコンテンツサーバー４０と通信する。広告管理サーバー１１０との通信には、図７又は図８に例示したように、ＩＭＳＩや広告ＵＲＬなどのメッセージパラメータが含まれる。広告ＵＲＬは、広告管理サーバー１１０から受信したメッセージを終端することで取得され、制御部２０５に与えられる。制御部２０５は、受信した広告ＵＲＬを記憶部２０３に記憶する。【０１１６】
無線処理部２０２は、フェムトセル２０のサービスエリア内に存在するＵＥ１０と無線による通信を行なう。ＩＭＳＩは、例えば、ＵＥ１０がフェムトセル２０経由でコンテンツサーバー４０にアクセスした場合に、取得することができる。取得したＩＭＳＩは、制御部２０５に与えられる。制御部２０５は、ＩＭＳＩを有線処理部２０１に与えることで広告管理サーバー１１０に通知することができる。【０１１７】
記憶部２０３は、図９又は図１０に例示した情報を記憶、管理する。記憶部２０３に記憶される情報は、ＵＥ１０及び／又は広告管理サーバー１１０との通信により取得された情報である。【０１１８】
通知部２０４は、ＵＥ１０宛のコンテンツをコンテンツサーバー４０から受信した場合に、制御部２０５と連携して、記憶部２０３に記憶された広告ＵＲＬを取得し、当該ＵＥ１０で受信、表示可能な広告ＵＲＬを前記コンテンツに挿入して無線処理部２０２からＵＥ１０へ送信させる。
【０１１９】
制御部２０５は、有線処理部２０１及び無線処理部２０２による通信、通知部２０４による処理、記憶部２０３に対する情報の書き込み及び読み出しを制御して、広告ＵＲＬの挿入処理、広告ＵＲＬの挿入回数のカウント、集計などの処理を制御する。【０１２０】
例えば、コンテンツサーバー４０からＵＥ１０宛のデータが有線処理部２０１で受信されると、当該データはメタファイル検出部２５１にＩＰアドレスとともに通知される。【０１２１】
メタファイル検出部２５１では、受信データがストリーミング再生のためのメタファイルであるか否かをチェックし、メタファイルであった場合には、ＩＰアドレスを基にＩＭＳＩ抽出部２５３に問い合わせてＩＭＳＩを取得する。併せて、ＵＲＬ格納部２５２に問い合わせを行ない、通知すべき広告ＵＲＬを取得する。【０１２２】
ここで、ＵＥ１０が受信、再生するコンテンツによって挿入する広告ＵＲＬが異なる場合、ＵＥ１０で再生されるファイルタイプに合わせて挿入すべき広告ＵＲＬが決定される。この決定には、例えば、広告管理サーバー１１０から要求された広告配信優先度や、配信対象ＩＭＳＩが用いられる。このときに、配信対象ＩＭＳＩに対応する広告ＵＲＬが存在しない場合、メタファイル検出部２５１は、無線処理部２０２にメタファイルを転送して処理を終了する。【０１２３】
そうでなければ、メタファイル検出部２５１は、メタファイルと広告ＵＲＬとをメタファイル処理部２５４に通知して編集を依頼し、メタファイル処理部２５４で編集されたメタファイルを無線処理部２０２に転送する。また、メタファイル検出部２５１は、ＵＲＬ格納部２５２に対して広告ＵＲＬについてのカウンタ（挿入回数）をカウントアップするように要求する。【０１２４】
ＵＲＬ格納部２５２は、広告ＵＲＬ、ファイルタイプ（バナー、音声、映像など）、ＵＲＬをメタファイルに挿入した回数、オプション的に、広告管理サーバー１１０から要求された広告配信優先度や配信ＩＭＳＩなどの情報を記憶、管理する。これらの情報を用いてメタファイル検出部２５１では挿入する広告ＵＲＬを決定する。また、挿入した広告ＵＲＬに対する挿入回数をカウントアップする要求を受け取ることで、挿入回数をカウントアップ（＋１）する。【０１２５】
メタファイル処理部２５４は、メタファイル検出部２５１から通知されたメタファイルと広告ＵＲＬとを基に、ＵＥ１０宛のメタファイルを編集し、広告ＵＲＬをメタファイルに追記したものを、メタファイル検出部２５１に返す。【０１２６】
メタファイル検出部２５１は、メタファイル処理部２５４又は無線処理部２０２から受信したメタファイルをＵＥ１０宛に無線送信する。【０１２７】
つまり、メタファイル検出部２５１、メタファイル処理部２５４及び無線処理部２０２は、コンテンツサーバー４０からＵＥ２０宛に受信したコンテンツに、広告管理サーバー１１０から通知された広告関連データの一例である広告ＵＲＬを付加してＵＥ１０へ送信する送信部の一例として機能する。また、メタファイル検出部２５１は、所定期間においてＵＥ１０について広告ＵＲＬの付加を行なった回数を計数する計数部の一例として用いられる。そして、有線処理部２０１は、その計数の結果を広告管理サーバー１１０へ通知する通知部の一例として用いられる。【０１２８】
なお、制御部２０５は、広告ＵＲＬを付加するコンテンツを、コンテンツサーバー４０から受信したコンテンツのアドレス情報が特定のルートを経由したことを示すコンテンツに制限することもできる。例えば、前記特定のルートは、インターネットを経由するルートとすることができる。【０１２９】
また、制御部２０５は、複数の広告ＵＲＬに関する所定の優先順位（広告配信優先度）に基づいて、コンテンツサーバー４０から受信したコンテンツに付加する広告ＵＲＬを選択（決定）する選択部の一例としての機能も具備してよい。前記優先順位の情報は、例えば広告管理サーバー１１０から通知されるものとすることができる。この場合、有線処理部２０１は、前記優先順位の通知を、前記広告管理サーバー１１０から受信する受信部の一例としても用いられる。
【０１３０】
以上のように、本例のシステムによれば、ＵＥ１０がフェムトセル２０経由で通信する際に、当該フェムトセル２０にて当該通信に挿入する広告（ＵＲＬ）を管理、制御することができる。これにより、各フェムトセル２０からＵＥ１０に配信した広告の内容、回数、広告配信したＵＥ１０のユーザーカテゴリなどを集計することが可能である。
以上の実施形態に関し、さらに以下の付記を開示する。
（付記１）
複数の無線基地局と、
いずれかの前記無線基地局と無線通信する１又は複数のユーザー装置と、
前記ユーザー装置の要求に応じたコンテンツを前記無線基地局経由で前記ユーザー装置へ提供するコンテンツ提供装置と、
前記ユーザー装置向けの広告及びアンケートのいずれか一方又は双方に関するデータを含む広告関連データを管理する広告管理装置と、
をそなえ、
前記広告管理装置は、
前記無線基地局の位置情報に基づいて、前記広告関連データを１又は複数の無線基地局へ選択的に通知し、
前記無線基地局は、
前記コンテンツ提供装置から受信した前記ユーザー装置宛の前記コンテンツに、前記広告管理装置から通知された前記広告関連データを付加して前記ユーザー装置へ送信し、
所定期間において前記ユーザー装置について前記広告関連データの付加を行なった回数を計数し、前記計数の結果を前記広告管理装置へ通知する、
ことを特徴とする、通信システム。
（付記２）
前記コンテンツ及び前記広告関連データのいずれか一方又は双方は、映像、音声、音楽のいずれか１又は複数の組み合わせを含むデータである、ことを特徴とする、付記１記載の通信システム。
（付記３）
前記広告管理装置は、
前記各無線基地局から通知された前記計数の結果を集計する、ことを特徴とする、付記１又は２に記載の通信システム。
（付記４）
前記集計は、前記ユーザー装置のカテゴリに関する情報に基づいて行なう、ことを特徴とする、付記４記載の通信システム。
（付記５）
前記広告管理装置は、
前記無線基地局の位置情報と前記ユーザー装置のカテゴリに関する情報とに基づく所定の条件に合致する無線基地局を、前記広告関連データの通知を行なう無線基地局に選ぶ、ことを特徴とする、付記１〜４のいずれか１つに記載の通信システム。
（付記６）
前記カテゴリには、前記ユーザー装置のユーザーの性別、年齢及び職業のいずれか１又は複数の組み合わせが含まれる、ことを特徴とする、付記４又は５に記載の通信システム。
（付記７）
前記無線基地局は、
前記ユーザー装置宛の前記コンテンツを、前記ユーザー装置が前記コンテンツの再生に呼応して前記第２のデータを再生可能な形式に変換する、ことを特徴とする、付記１記載の通信システム。
（付記８）
前記無線基地局において前記広告関連データが付加されるコンテンツは、受信した前記コンテンツのアドレス情報が特定のルートを経由したことを示すコンテンツに制限される、ことを特徴とする、付記１記載の通信システム。
（付記９）
前記無線基地局において前記コンテンツに付加される広告関連データは、複数の前記広告関連データに関する所定の優先順位に基づいて選択される、ことを特徴とする、付記１記載の通信システム。
（付記１０）
複数の無線基地局と、いずれかの前記無線基地局と無線通信する１又は複数のユーザー装置と、前記ユーザー装置の要求に応じたコンテンツを前記無線基地局経由で前記ユーザー装置へ提供するコンテンツ提供装置と、前記ユーザー装置向けの広告及びアンケートのいずれか一方又は双方に関するデータを含む広告関連データを管理する広告管理装置と、をそなえた通信システムにおける前記広告管理装置であって、
前記無線基地局の位置情報に基づいて、前記広告関連データを通知する１又は複数の無線基地局を選択する選択部と、
前記選択部で選択された無線基地局へ前記広告関連データを通知する通知部と、
をそなえたことを特徴とする、広告管理装置。
（付記１１）
前記コンテンツ及び前記広告関連データのいずれか一方又は双方は、映像、音声、音楽のいずれか１又は複数の組み合わせを含むデータである、ことを特徴とする、付記１０記載の広告管理装置。
（付記１２）
前記通知した広告関連データが前記無線基地局において前記ユーザー装置宛の前記コンテンツに付加された回数についての計数結果の通知を各無線基地局から受ける受信部と、
前記計数結果を集計する集計部と、をさらにそなえたことを特徴とする、付記１０又は１１に記載の広告管理装置。
（付記１３）
前記集計部は、
前記集計を前記ユーザー装置のカテゴリに関する情報に基づいて行なう、ことを特徴とする、付記１２記載の広告管理装置。
（付記１４）
前記選択部は、
前記無線基地局の位置情報と前記ユーザー装置のカテゴリに関する情報とに基づく所定の条件に合致する無線基地局を、前記広告関連データの通知を行なう無線基地局に選ぶ、ことを特徴とする、付記１０〜１３のいずれか１つに記載の広告管理装置。
（付記１５）
前記カテゴリには、前記ユーザー装置のユーザーの性別、年齢及び職業のいずれか１又は複数の組み合わせが含まれる、ことを特徴とする、付記１３又は１４に記載の広告管理装置。
（付記１６）
複数の無線基地局と、いずれかの前記無線基地局と無線通信する１又は複数のユーザー装置と、前記ユーザー装置の要求に応じたコンテンツを前記無線基地局経由で前記ユーザー装置へ提供するコンテンツ提供装置と、前記ユーザー装置向けの広告及びアンケートのいずれか一方又は双方に関するデータを含む広告関連データを管理する広告管理装置と、をそなえた通信システムにおける前記無線基地局であって、
前記コンテンツ提供装置から受信した前記ユーザー装置宛の前記コンテンツに、前記広告管理装置から通知された前記広告関連データを付加して前記ユーザー装置へ送信する送信部と、
所定期間において前記ユーザー装置について前記広告関連データの付加を行なった回数を計数する計数部と、
前記計数の結果を前記広告管理装置へ通知する通知部と、
をそなえたことを特徴とする、無線基地局。
（付記１７）
前記送信部において前記広告関連データが付加されるコンテンツは、受信した前記コンテンツのアドレス情報が特定のルートを経由したことを示すコンテンツに制限される、ことを特徴とする、付記１６記載の無線基地局。
（付記１８）
前記特定のルートは、インターネットを経由するルートである、ことを特徴とする、付記１７記載の無線基地局。
（付記１９）
複数の前記広告関連データに関する所定の優先順位に基づいて、前記コンテンツに付加する広告関連データを選択する選択部をさらにそなえたことを特徴とする、付記１８記載の無線基地局。
（付記２０）
前記優先順位の通知を、前記広告管理装置から受信する受信部をさらにそなえたことを特徴とする、付記１９記載の無線基地局。
【図１】
0005429183.tif 000002
【図２】
0005429183.tif 000003
【図３】
0005429183.tif 000004
【図４】
0005429183.tif 000005
【図５】
0005429183.tif 000006
【図６】
0005429183.tif 000007
【図７】
0005429183.tif 000008
【図８】
0005429183.tif 000009
【図９】
0005429183.tif 000010
【図１０】
0005429183.tif 000011
【図１１】
0005429183.tif 000012
【図１２】
0005429183.tif 000013
【図１３】
0005429183.tif 000014
【図１４】
0005429183.tif 000015
【図１５】
0005429183.tif 000016
【図１６】
0005429183.tif 000017
【図１７】
0005429183.tif 000018
【図１８】
0005429183.tif 000019
【図１９】
0005429183.tif 000020
【図２０】
0005429183.tif 000021
【図２１】
0005429183.tif 000022
【図２２】
0005429183.tif 000023
【図２３】
0005429183.tif 000024
【図２４】
0005429183.tif 000025